【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ネットワーク内でワイヤレス通信装置によってワイヤレス媒体を介して通信する方法であって、
第１のコンテンション窓と第２のコンテンション窓とを決定することと、前記第１のコンテンション窓が、前記第２のコンテンション窓よりも前に開始する、
前記第１のコンテンション窓の前記開始時に第１のキャリア検知多重アクセス（ＣＳＭＡ）カウントダウンを開始することと、
前記第２のコンテンション窓の前記開始の前に前記第１のＣＳＭＡカウントダウンが終了しないときに第２のＣＳＭＡカウントダウンを開始することと、
前記第１のＣＳＭＡカウントダウンの終了のときまたは前記第２のＣＳＭＡカウントダウンの終了のときのいずれか早いときに、準備されたフレームを送信することと
を備える方法。
【請求項２】
前記第２のコンテンション窓の前記開始時に、前記第１のＣＳＭＡカウントダウンの残余値と前記第２のＣＳＭＡカウントダウンの値とのうちの最小値と、前記第１のＣＳＭＡカウントダウンを置き換えることをさらに備える、請求項１に記載の方法。
【請求項３】
前記準備されたフレームを送信した後に１つまたは複数の追加のフレームを送信することと、フレームの最大数と最大送信時間とのうちの少なくとも１つに基づいて前記１つまたは複数の追加のフレームを制限することとをさらに備える、請求項１に記載の方法。
【請求項４】
前記第２のコンテンション窓の前記開始が、発見窓全体内で一様分布に基づいてランダムにまたは擬似ランダムに選択される、請求項１に記載の方法。
【請求項５】
前記第２のコンテンション窓の前記開始が、発見窓の残りの部分の内で一様分布に基づいてランダムにまたは擬似ランダムに選択される、請求項１に記載の方法。
【請求項６】
発見窓内で、前記第２のコンテンション窓のためのランダム開始時間を決定することをさらに備える、請求項１に記載の方法。
【請求項７】
前記第１のＣＳＭＡカウントダウンが前記第２のコンテンション窓の前記開始の前に終了するときに前記準備されたフレームを送信することをさらに備える、請求項１に記載の方法。
【請求項８】
ワイヤレス媒体を介してネットワーク内で通信するための装置であって、
第１のコンテンション窓と第２のコンテンション窓とを決定するための手段と、前記第１のコンテンション窓が、前記第２のコンテンション窓よりも前に開始する、
前記第１のコンテンション窓の前記開始時に第１のキャリア検知多重アクセス（ＣＳＭＡ）カウントダウンを開始するための手段と、
前記第２のコンテンション窓の前記開始の前に前記第１のＣＳＭＡカウントダウンが終了しないときに第２のＣＳＭＡカウントダウンを開始するための手段と、
前記第１のＣＳＭＡカウントダウンの終了のときまたは前記第２のＣＳＭＡカウントダウンの終了のときのいずれか早いときに、準備されたフレームを送信するための手段と
を備える装置。
【請求項９】
前記第２のコンテンション窓の前記開始時に、前記第１のＣＳＭＡカウントダウンの残余値と前記第２のＣＳＭＡカウントダウンの値とのうちの最小値と、前記第１のＣＳＭＡカウントダウンを置き換えるための手段をさらに備える、請求項８に記載の装置。
【請求項１０】
前記準備されたフレームを送信した後に１つまたは複数の追加のフレームを送信するための手段と、フレームの最大数と最大送信時間とのうちの少なくとも１つに基づいて前記１つまたは複数の追加のフレームを制限するための手段とをさらに備える、請求項８に記載の装置。
【請求項１１】
前記第２のコンテンション窓の前記開始が、発見窓全体内で一様分布に基づいてランダムにまたは擬似ランダムに選択される、請求項８に記載の装置。
【請求項１２】
前記第２のコンテンション窓の前記開始が、発見窓の残りの部分の内で一様分布に基づいてランダムにまたは擬似ランダムに選択される、請求項８に記載の装置。
【請求項１３】
発見窓内で、前記第２のコンテンション窓のためのランダム開始時間を決定するための手段をさらに備える、請求項８に記載の装置。
【請求項１４】
前記第１のＣＳＭＡカウントダウンが前記第２のコンテンション窓の前記開始の前に終了するときに前記準備されたフレームを送信するための手段をさらに備える、請求項８に記載の装置。
【請求項１５】
コンピュータ上で実行されたとき、請求項１乃至７のうちのいずれか１項に記載の方法を実行するための命令を備える、コンピュータプログラム。
【手続補正２】
【補正対象書類名】明細書
【補正対象項目名】０１７１
【補正方法】変更
【補正の内容】
【０１７１】
[0188]同様に、動作は特定の順序で図面に示されているが、これは、望ましい結果を達成するために、そのような動作が、示される特定の順序でまたは順番に実施されることを、あるいはすべての図示の動作が実施されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実施され、依然として望ましい結果を達成することができる。
以下に、出願当初の特許請求の範囲に記載された発明を付記する。
［Ｃ１］
ネットワーク内でワイヤレス通信装置によってワイヤレス媒体を介して通信する方法であって、
第１のコンテンション窓と第２のコンテンション窓とを決定することと、前記第１のコンテンション窓が、前記第２のコンテンション窓よりも前に開始する、
前記第１のコンテンション窓の前記開始時に第１のキャリア検知多重アクセス（ＣＳＭＡ）カウントダウンを開始することと、
前記第２のコンテンション窓の前記開始の前に前記第１のＣＳＭＡカウントダウンが終了しないときに第２のＣＳＭＡカウントダウンを開始することと、
前記第１のＣＳＭＡカウントダウンの終了のときまたは前記第２のＣＳＭＡカウントダウンの終了のときのいずれか早いときに、準備されたフレームを送信することと
を備える方法。
［Ｃ２］
前記第２のコンテンション窓の前記開始時に、前記第１のＣＳＭＡカウントダウンの残余値と前記第２のＣＳＭＡカウントダウンの値とのうちの最小値と、前記第１のＣＳＭＡカウントダウンを置き換えることをさらに備える、Ｃ１に記載の方法。
［Ｃ３］
前記準備されたフレームを送信した後に１つまたは複数の追加のフレームを送信することと、フレームの最大数と最大送信時間とのうちの少なくとも１つに基づいて前記１つまたは複数の追加のフレームを制限することとをさらに備える、Ｃ１に記載の方法。
［Ｃ４］
前記第２のコンテンション窓の前記開始が、発見窓全体内で一様分布に基づいてランダムにまたは擬似ランダムに選択される、Ｃ１に記載の方法。
［Ｃ５］
前記第２のコンテンション窓の前記開始が、発見窓の残りの部分の内で一様分布に基づいてランダムにまたは擬似ランダムに選択される、Ｃ１に記載の方法。
［Ｃ６］
発見窓内で、前記第２のコンテンション窓のためのランダム開始時間を決定することをさらに備える、Ｃ１に記載の方法。
［Ｃ７］
前記第１のＣＳＭＡカウントダウンが前記第２のコンテンション窓の前記開始の前に終了するときに前記準備されたフレームを送信することをさらに備える、Ｃ１に記載の方法。
［Ｃ８］
前記第１のコンテンション窓のサイズよりも小さい第１のランダムバックオフカウントを決定することと、
第２のコンテンション窓のサイズよりも小さい第２のランダムバックオフカウントを決定することと
をさらに備える、Ｃ１に記載の方法。
［Ｃ９］
前記第１のコンテンション窓が前記第２のコンテンション窓よりも大きい、Ｃ１に記載の方法。
［Ｃ１０］
スロット中における前記第１のコンテンション窓のサイズが、前記ネットワーク中のデバイスの数の最小５倍である、Ｃ１に記載の方法。
［Ｃ１１］
前記第２のコンテンション窓のサイズが１５スロットである、Ｃ１に記載の方法。
［Ｃ１２］
前記第２のコンテンション窓のサイズが３１スロットである、Ｃ１に記載の方法。
［Ｃ１３］
前記ネットワークが近傍アウェアネットワークを備える、Ｃ１に記載の方法。
［Ｃ１４］
前記準備されたフレームが発見フレームまたはビーコンフレームを備える、Ｃ１に記載の方法。
［Ｃ１５］
ワイヤレス媒体を介してネットワーク内で通信するように構成されたワイヤレス通信装置であって、
第１のコンテンション窓と第２のコンテンション窓とを決定することと、前記第１のコンテンション窓が、前記第２のコンテンション窓よりも前に開始する、
前記第１のコンテンション窓の前記開始時に第１のキャリア検知多重アクセス（ＣＳＭＡ）カウントダウンを開始することと、
前記第２のコンテンション窓の前記開始の前に前記第１のＣＳＭＡカウントダウンが終了しないときに第２のＣＳＭＡカウントダウンを開始することと
を行うように構成されたプロセッサと、
前記第１のＣＳＭＡカウントダウンの終了のときまたは前記第２のＣＳＭＡカウントダウンの終了のときのいずれか早いときに、準備されたフレームを送信するように構成された送信機と
を備える装置。
［Ｃ１６］
前記プロセッサが、前記第２のコンテンション窓の前記開始時に、前記第１のＣＳＭＡカウントダウンの残余値と前記第２のＣＳＭＡカウントダウンの値とのうちの最小値と、前記第１のＣＳＭＡカウントダウンを置き換えるようにさらに構成された、Ｃ１５に記載の装置。
［Ｃ１７］
前記送信機が、前記準備されたフレームを送信した後に１つまたは複数の追加のフレームを送信するようにさらに構成され、前記プロセッサが、フレームの最大数と最大送信時間とのうちの少なくとも１つに基づいて前記１つまたは複数の追加のフレームを制限するようにさらに構成された、Ｃ１５に記載の装置。
［Ｃ１８］
前記第２のコンテンション窓の前記開始が、発見窓全体内で一様分布に基づいてランダムにまたは擬似ランダムに選択される、Ｃ１５に記載の装置。
［Ｃ１９］
前記第２のコンテンション窓の前記開始が、発見窓の残りの部分の内で一様分布に基づいてランダムにまたは擬似ランダムに選択される、Ｃ１５に記載の装置。
［Ｃ２０］
前記プロセッサが、発見窓内で、前記第２のコンテンション窓のためのランダム開始時間を決定するようにさらに構成された、Ｃ１５に記載の装置。
［Ｃ２１］
前記送信機は、前記第１のＣＳＭＡカウントダウンが前記第２のコンテンション窓の前記開始の前に終了するときに前記準備されたフレームを送信するようにさらに構成された、Ｃ１５に記載の装置。
［Ｃ２２］
前記プロセッサが、
前記第１のコンテンション窓のサイズよりも小さい第１のランダムバックオフカウントを決定することと、
第２のコンテンション窓のサイズよりも小さい第２のランダムバックオフカウントを決定することと
を行うようにさらに構成された、Ｃ１５に記載の装置。
［Ｃ２３］
前記第１のコンテンション窓が前記第２のコンテンション窓よりも大きい、Ｃ１５に記載の装置。
［Ｃ２４］
スロットにおける前記第１のコンテンション窓のサイズが、前記ネットワーク中のデバイスの数の最小５倍である、Ｃ１５に記載の装置。
［Ｃ２５］
前記第２のコンテンション窓のサイズが１５スロットである、Ｃ１５に記載の装置。
［Ｃ２６］
前記第２のコンテンション窓のサイズが３１スロットである、Ｃ１５に記載の装置。
［Ｃ２７］
前記ネットワークが近傍アウェアネットワークを備える、Ｃ１５に記載の装置。
［Ｃ２８］
前記準備されたフレームが発見フレームまたはビーコンフレームを備える、Ｃ１５に記載の装置。
［Ｃ２９］
ワイヤレス媒体を介してネットワーク内で通信するための装置であって、
第１のコンテンション窓と第２のコンテンション窓とを決定するための手段と、前記第１のコンテンション窓が、前記第２のコンテンション窓よりも前に開始する、
前記第１のコンテンション窓の前記開始時に第１のキャリア検知多重アクセス（ＣＳＭＡ）カウントダウンを開始するための手段と、
前記第２のコンテンション窓の前記開始の前に前記第１のＣＳＭＡカウントダウンが終了しないときに第２のＣＳＭＡカウントダウンを開始するための手段と、
前記第１のＣＳＭＡカウントダウンの終了のときまたは前記第２のＣＳＭＡカウントダウンの終了のときのいずれか早いときに、準備されたフレームを送信するための手段と
を備える装置。
［Ｃ３０］
前記第２のコンテンション窓の前記開始時に、前記第１のＣＳＭＡカウントダウンの残余値と前記第２のＣＳＭＡカウントダウンの値とのうちの最小値と、前記第１のＣＳＭＡカウントダウンを置き換えるための手段をさらに備える、Ｃ２９に記載の装置。
［Ｃ３１］
前記準備されたフレームを送信した後に１つまたは複数の追加のフレームを送信するための手段と、フレームの最大数と最大送信時間とのうちの少なくとも１つに基づいて前記１つまたは複数の追加のフレームを制限するための手段とをさらに備える、Ｃ２９に記載の装置。
［Ｃ３２］
前記第２のコンテンション窓の前記開始が、発見窓全体内で一様分布に基づいてランダムにまたは擬似ランダムに選択される、Ｃ２９に記載の装置。
［Ｃ３３］
前記第２のコンテンション窓の前記開始が、発見窓の残りの部分の内で一様分布に基づいてランダムにまたは擬似ランダムに選択される、Ｃ２９に記載の装置。
［Ｃ３４］
発見窓内で、前記第２のコンテンション窓のためのランダム開始時間を決定するための手段をさらに備える、Ｃ２９に記載の装置。
［Ｃ３５］
前記第１のＣＳＭＡカウントダウンが前記第２のコンテンション窓の前記開始の前に終了するときに前記準備されたフレームを送信するための手段をさらに備える、Ｃ２９に記載の装置。
［Ｃ３６］
前記第１のコンテンション窓のサイズよりも小さい第１のランダムバックオフカウントを決定するための手段と、
第２のコンテンション窓のサイズよりも小さい第２のランダムバックオフカウントを決定するための手段と
をさらに備える、Ｃ２９に記載の装置。
［Ｃ３７］
前記第１のコンテンション窓が前記第２のコンテンション窓よりも大きい、Ｃ２９に記載の装置。
［Ｃ３８］
スロットにおける前記第１のコンテンション窓のサイズが、前記ネットワーク中のデバイスの数の最小５倍である、Ｃ２９に記載の装置。
［Ｃ３９］
前記第２のコンテンション窓のサイズが１５スロットである、Ｃ２９に記載の装置。
［Ｃ４０］
前記第２のコンテンション窓のサイズが３１スロットである、Ｃ２９に記載の装置。
［Ｃ４１］
前記ネットワークが近傍アウェアネットワークを備える、Ｃ２９に記載の装置。
［Ｃ４２］
前記準備されたフレームが発見フレームまたはビーコンフレームを備える、Ｃ２９に記載の装置。
［Ｃ４３］
実行されたとき、ネットワーク内のワイヤレス通信装置に、
第１のコンテンション窓と第２のコンテンション窓とを決定することと、前記第１のコンテンション窓が、前記第２のコンテンション窓よりも前に開始する、
前記第１のコンテンション窓の前記開始時に第１のキャリア検知多重アクセス（ＣＳＭＡ）カウントダウンを開始することと、
前記第２のコンテンション窓の前記開始の前に前記第１のＣＳＭＡカウントダウンが終了しないときに第２のＣＳＭＡカウントダウンを開始することと、
前記第１のＣＳＭＡカウントダウンの終了のときまたは前記第２のＣＳＭＡカウントダウンの終了のときのいずれか早いときに、準備されたフレームを送信することと
を行わせるコードを備える非一時的コンピュータ可読媒体。
［Ｃ４４］
実行されたとき、前記装置に、前記第２のコンテンション窓の前記開始時に、前記第１のＣＳＭＡカウントダウンの残余値と前記第２のＣＳＭＡカウントダウンの値とのうちの最小値と、前記第１のＣＳＭＡカウントダウンを置き換えることを行わせるコードをさらに備える、Ｃ４３に記載の媒体。
［Ｃ４５］
実行されたとき、前記装置に、前記準備されたフレームを送信した後に１つまたは複数の追加のフレームを送信することと、フレームの最大数と最大送信時間とのうちの少なくとも１つに基づいて前記１つまたは複数の追加のフレームを制限することとを行わせるコードをさらに備える、Ｃ４３に記載の媒体。
［Ｃ４６］
前記第２のコンテンション窓の前記開始が、発見窓全体内で一様分布に基づいてランダムにまたは擬似ランダムに選択される、Ｃ４３に記載の媒体。
［Ｃ４７］
前記第２のコンテンション窓の前記開始が、発見窓の残りの部分の内で一様分布に基づいてランダムにまたは擬似ランダムに選択される、Ｃ４３に記載の媒体。
［Ｃ４８］
実行されたとき、前記装置に、発見窓内で、前記第２のコンテンション窓のためのランダム開始時間を決定することを行わせるコードをさらに備える、Ｃ４３に記載の媒体。
［Ｃ４９］
実行されたとき、前記装置に、前記第１のＣＳＭＡカウントダウンが前記第２のコンテンション窓の前記開始の前に終了するときに前記準備されたフレームを送信することを行わせるコードをさらに備える、Ｃ４３に記載の媒体。
［Ｃ５０］
実行されたとき、前記装置に、
前記第１のコンテンション窓のサイズよりも小さい第１のランダムバックオフカウントを決定することと、
第２のコンテンション窓のサイズよりも小さい第２のランダムバックオフカウントを決定することと
を行わせるコードをさらに備える、Ｃ４３に記載の媒体。
［Ｃ５１］
前記第１のコンテンション窓が前記第２のコンテンション窓よりも大きい、Ｃ４３に記載の媒体。
［Ｃ５２］
スロットにおける前記第１のコンテンション窓のサイズが、前記ネットワーク中のデバイスの数の最小５倍である、Ｃ４３に記載の媒体。
［Ｃ５３］
前記第２のコンテンション窓のサイズが１５スロットである、Ｃ４３に記載の媒体。
［Ｃ５４］
前記第２のコンテンション窓のサイズが３１スロットである、Ｃ４３に記載の媒体。
［Ｃ５５］
前記ネットワークが近傍アウェアネットワークを備える、Ｃ４３に記載の媒体。
［Ｃ５６］
前記準備されたフレームが発見フレームまたはビーコンフレームを備える、Ｃ４３に記載の媒体。